(57)【要約】【課題】この発明は、画質調整が容易になるとともに、最適な画質調整値を設定しやすくなる画質調整方法および画質調整装置を提供することを目的とする。【解決手段】同一画像に対して画質調整値を段階的に変化させた複数の画質調整用画像を表示させ、そのうちから所望の１つをユーザに選択させることにより、画質調整値を決定する画質調整方法において、１回目は画質調整用画像間の画質調整値の変化量が大きい複数の画質調整用画像を表示させて、そのうちから所望の１つをユーザに選択させ、２回目以降は前回選択された画質調整用画像の画質調整値を中心としかつ画質調整用画像間の画質調整値の変化量が前回より小さい複数の画質調整用画像を表示させて、そのうちから所望の１つをユーザに選択させる。【選択図】  図１
2004153533.tif 000002
【特許請求の範囲】
【請求項１】
同一画像に対して画質調整値を段階的に変化させた複数の画質調整用画像を表示させ、そのうちから所望の１つをユーザに選択させることにより、画質調整値を決定する画質調整方法において、
１回目は画質調整用画像間の画質調整値の変化量が大きい複数の画質調整用画像を表示させて、そのうちから所望の１つをユーザに選択させ、２回目以降は前回選択された画質調整用画像の画質調整値を中心としかつ画質調整用画像間の画質調整値の変化量が前回より小さい複数の画質調整用画像を表示させて、そのうちから所望の１つをユーザに選択させることを特徴とする画質調整方法。
【請求項２】
同一画像に対して画質調整値を段階的に変化させた複数の画質調整用画像を表示させ、そのうちから所望の１つをユーザに選択させることにより、画質調整値を決定する画質調整装置において、
１回目は、画質調整用画像間の画質調整値の変化量が大きい複数の画質調整用画像を表示させる第１手段、
第１手段によって表示された複数の画質調整用画像から所望の１つをユーザに選択させるための第２手段、
２回目以降においては、前回選択された画質調整用画像の画質調整値を中心としかつ画質調整用画像間の画質調整値の変化量が前回より小さい複数の画質調整用画像を表示させる第３手段、および
第３手段によって表示された複数の画質調整用画像から所望の１つをユーザに選択させるための第４手段、
を備えていることを特徴とする画質調整装置。
【発明の詳細な説明】
【０００１】
【発明の属する技術分野】
この発明は、液晶プロジェクタ等の表示装置の画質調整値を調整するための画質調整方法および画質調整装置に関する。
【０００２】
【従来の技術】
液晶プロジェクタのブライト調整値等の画質調整値を、液晶プロジェクタに接続した画質調整用ＰＣによって行う技術が既に知られている。画質調整用ＰＣは、液晶プロジェクタのブライト調整値を調整する際には、同一画像に対してブライト調整値を段階的に変化させた複数のブライト調整用画像を表示させる。そして、表示した複数のブライト調整用画像から、ユーザに所望の１つを選択させる。画質調整用ＰＣは、ユーザによって選択されたブライト調整用画像に対応するブライト調整値を、液晶プロジェクタに送信することにより、液晶プロジェクタにブライト調整値を設定する。
【０００３】
従来においては、ブライト調整時に表示される複数のブライト調整用画像間ののブライト調整値の変化量は一定であった。ブライト調整用画像間のブライト調整値の変化量が大きい場合には、最適値であると思われるブライト調整値が、表示された複数のブライト調整用画像中の２つのブライト調整用画像の中間に相当する可能性がある。逆に、ブライト調整用画像間のブライト調整値の変化量が小さい場合には、最適値であると思われるブライト調整値が、表示された複数のブライト調整用画像のブライト調整値範囲外になってしまう可能性がある。
【０００４】
したがって、従来のブライト調整方法では、最適値であると思われるブライト調整値を設定できない可能性がある。このような問題を解決するためには、ブライト調整用画像間のブライト調整値の段階的変化量を小さくし、かつ表示するブライト調整用画像の枚数を多くすればよい。しかしながら、このようにすると、表示される１枚当たりのブライト調整用画像を小さくしなければならず、好適なブライト調整用画像を選択しにくくなるという問題がある。
【０００５】
【発明が解決しようとする課題】
この発明は、画質調整が容易になるとともに、最適な画質調整値を設定しやすくなる画質調整方法および画質調整装置を提供することを目的とする。
【０００６】
【課題を解決するための手段】
請求項１に記載の発明は、同一画像に対して画質調整値を段階的に変化させた複数の画質調整用画像を表示させ、そのうちから所望の１つをユーザに選択させることにより、画質調整値を決定する画質調整方法において、１回目は画質調整用画像間の画質調整値の変化量が大きい複数の画質調整用画像を表示させて、そのうちから所望の１つをユーザに選択させ、２回目以降は前回選択された画質調整用画像の画質調整値を中心としかつ画質調整用画像間の画質調整値の変化量が前回より小さい複数の画質調整用画像を表示させて、そのうちから所望の１つをユーザに選択させることを特徴とする。
【０００７】
請求項２に記載の発明は、同一画像に対して画質調整値を段階的に変化させた複数の画質調整用画像を表示させ、そのうちから所望の１つをユーザに選択させることにより、画質調整値を決定する画質調整装置において、１回目は、画質調整用画像間の画質調整値の変化量が大きい複数の画質調整用画像を表示させる第１手段、第１手段によって表示された複数の画質調整用画像から所望の１つをユーザに選択させるための第２手段、２回目以降においては、前回選択された画質調整用画像の画質調整値を中心としかつ画質調整用画像間の画質調整値の変化量が前回より小さい複数の画質調整用画像を表示させる第３手段、および第３手段によって表示された複数の画質調整用画像から所望の１つをユーザに選択させるための第４手段を備えていることを特徴とする。
【０００８】
【発明の実施の形態】
以下、図面を参照してこの発明の実施の形態について説明する。
【０００９】
図１は、液晶プロジェクタの構成および画質調整用ＰＣを示している。
【００１０】
液晶プロジェクタ１００には、ビデオ信号（ＡＶ信号）またはコンピュータ信号（ＰＣ信号）が入力され、入力切替回路１によってＡＶ信号、ＰＣ信号のうちのいずれかが選択されて、Ａ／Ｄコンバータ２に送られる。なお、ＡＶ信号を入力する場合のモードをビデオモードといい、ＰＣ信号を入力する場合のモードをコンピュータモードということにする。
【００１１】
Ａ／Ｄコンバータ２に入力されたＲＧＢ信号は、Ａ／Ｄコンバータ２によってデジタル信号に変換された後、走査変換回路３に送られる。走査変換回路３では、周波数変換などのデジタル処理が行われる。走査変換回路３の出力信号は、画質調整回路１４に送られ、ブライト調整、コントラスト調整等の画質調整が行われる。画質調整回路１４の出力信号は、デジタルガンマ補正回路４に送られて、ガンマ補正が施される。デジタルガンマ補正回路４の出力信号は、１２相展開回路５に送られる。１２相展開回路５に入力された信号は時分割されて液晶パネル８に書き込まれ、書き込まれた信号はスクリーンに投影される。
【００１２】
液晶プロジェクタ内の各部は、ＣＰＵ７によって制御される。ＣＰＵ７は、そのプログラム等を記憶するＲＯＭ（図示略）、必要なデータを記憶するＲＡＭ（図示略）およびフラッシュメモリ１０を備えている。
【００１３】
また、Ａ／Ｄコンバータ２に対するクロック、１２相展開回路５に対するサンプリングクロックおよび液晶パネル８を駆動するためのパネル駆動パルスは、タイミングジェネレータ６によって生成される。
【００１４】
画質調整回路１４の各画質調整値（ブライト調整値、コントラスト調整値等）と、デジタルガンマ補正回路４の特性（ガンマ補正データ）は、フラッシュメモリ１０内に格納されている。フラッシュメモリ１０内に格納されている各画質調整値（ブライト調整値、コントラスト調整値等）はＣＰＵ７によって画質調整回路１４に設定され、フラッシュメモリ１０内に格納されているガンマ補正データはＣＰＵ７によってデジタルガンマ補正回路４に設定される。
【００１５】
フラッシュメモリ１０内に格納されている各画質調整値（ブライト調整値、コントラスト調整値等）は、画質調整用ＰＣ２０によって、シリアルデータ通信により、ＲＳ２３２Ｃ回路１２とＣＰＵ７を介して書き換えることが可能となっている。画質調整用ＰＣ２０には、画質調整用ソフトウエアが搭載されている。以下、画質調整用ＰＣ２０によって、フラッシュメモリ１０内に格納されているブライト調整値を書き換える場合の動作について説明する。
【００１６】
図２は、画質調整用ＰＣ２０によってフラッシュメモリ１０内に格納されているブライト調整値を書き換える場合の動作を示している。
【００１７】
まず、ユーザは、画質調整用ＰＣ２０の通信用端子をシリアルケーブルによって液晶プロジェクタ１００に接続することにより、画質調整用ＰＣ２０の通信用端子ををＲＳ２３２Ｃ１２を介してＣＰＵ７に接続する。また、画質調整用ＰＣ２０の映像出力端子を映像ケーブルによって液晶プロジェクタ１００に接続することにより、画質調整用ＰＣ２０の映像出力端子を入力切り替え回路１に接続する。そして、画質調整用ソフトウエアを立ち上げる。
【００１８】
画質調整用ＰＣ２０は、まず、液晶プロジェクタのＣＰＵ７に、入力モードをコンピュータ入力モードに設定するためのコマンドと、ブライト調整値として標準値を画質調整回路１４に設定するためのコマンドを送信する（ステップ１）。
【００１９】
ＣＰＵ７は、これらコマンドを受信すると、入力モードをコンピュータ入力モードに設定するとともに、画質調整回路１４にブライト調整値として標準値を設定する。この例では、ブライト調整値の標準値を１００とし、ブライト調整値が大きくなるほど映像が明るくなるものとする。
【００２０】
次に、画質調整用ＰＣ２０は、ブライト調整用の粗調整画面を画質調整用ＰＣ２０のモニタに表示するとともに、当該粗調整画面の画像を液晶プロジェクタの入力切り替え回路１に送信する（ステップ２）。これにより、図３に示すように、同一画像に対してブライト調整値を段階的に変化させた９枚のブライト粗調整用画像Ａｎ  （ｎ＝１，２，…，８，９）からなる粗調整画面が、画質調整用ＰＣ２０のモニタに表示されるとともに液晶プロジェクタによって図示しないスクリーン上に表示される。
【００２１】
ブライト粗調整用画像間のブライト調整値の変化量は比較的大きな値２０に設定されている。各ブライト粗調整用画像Ａｎ  のブライト調整値ａｎ  は、ａｎ  ＝ｎ×２０で表される。ブライト粗調整用画像Ａ１  〜Ａ９  のブライト調整値ａ１  〜ａ９  は、それぞれ、２０、４０、６０、８０、１００、１２０、１４０、１６０、１８０となる。
【００２２】
ユーザは、液晶プロジェクタによってスクリーン上に表示された９枚のブライト粗調整用画像Ａ１  〜Ａ９  を参照して、その中から所望の１つの画像を選択する。この選択操作は、画質調整用ＰＣ２０を操作することによって行われる。
【００２３】
ユーザによって、９枚のブライト粗調整用画像Ａ１  〜Ａ９  から１つの画像が選択されると（ステップ３）、選択されたブライト粗調整用画像に対応するブライト調整値に応じた微調整画面を画質調整用ＰＣ２０のモニタに表示するとともに、当該微調整画面の画像を液晶プロジェクタの入力切り替え回路１に送信する（ステップ４）。
【００２４】
これにより、ステップ３で選択されたブライト粗調整用画像に対応する画質調整値を中心としかつ調整用画像間の画質調整値の変化量が前回より小さい９枚のブライト微調整用画像Ｂｎ  （ｎ＝１，２，…，８，９）からなる微調整画面が、画質調整用ＰＣ２０のモニタに表示されるとともに液晶プロジェクタによって図示しないスクリーン上に表示される。ブライト微調整用画像間のブライト調整値の変化量は比較的小さな値５に設定されている。
【００２５】
上記ステップ３で選択されたブライト粗調整用画像の番号をＮとすると、各ブライト微調整用画像Ｂｎ  のブライト調整値ｂｎ  は、ｂｎ  ＝２０Ｎ＋｛（ｎ−５）×５｝で表される。例えば、上記ステップ３で選択されたブライト粗調整用画像の番号が５（Ｎ＝５）である場合には、ブライト微調整用画像Ｂ１  〜Ｂ９  のブライト調整値ｂ１  〜ｂ９  は、それぞれ、８０、８５、９０、９５、１００、１０５、１１０、１１５、１２０となる。
【００２６】
ユーザは、液晶プロジェクタによってスクリーン上に表示された９枚のブライト微調整用画像Ｂ１  〜Ｂ９  を参照して、その中から所望の１つの画像を選択する。この選択操作は、画質調整用ＰＣ２０を操作することによって行われる。
【００２７】
ユーザによって、９枚のブライト微調整用画像Ｂ１  〜Ｂ９  から１つの画像が選択されると（ステップ５）、画質調整用ＰＣ２０は、選択されたブライト微調整用画像に対応するブライト調整値を液晶プロジェクタ内のＣＰＵ７に送信する（ステップ６）。ステップ５で選択されたブライト微調整用画像の番号をＭとすると、最終的に決定されたブライト調整値Ｃは、Ｃ＝２０Ｎ＋｛（Ｍ−５）×５｝となる。
【００２８】
液晶プロジェクタ内のＣＰＵ７は、画質調整用ＰＣ２０からのブライト調整値を受信すると、フラッシュメモリ１０内のブライト調整値を受信したブライト調整値に書き換えるとともに、画質調整回路１４にブライト調整値として受信したブライト調整値を設定する。
【００２９】
上記実施の形態では、ブライト調整値を調整する場合について説明したが、この発明はコントラスト調整値、ホワイトバランス調整値、シャープネス調整値、ガンマ補正データ調整値等の画質調整値を調整する場合にも、適用することができる。
【００３０】
【発明の効果】
この発明によれば、画質調整が容易になるとともに、最適な画質調整値を設定しやすくなる。
【図面の簡単な説明】
【図１】液晶プロジェクタの構成および画質調整用ＰＣを示すブロック図である。
【図２】画質調整用ＰＣ２０によってフラッシュメモリ１０内に格納されているブライト調整値を書き換える場合の動作を示すフローチャートである。
【図３】ブライト調整用の粗調整画面の一例を示す模式図である。
【図４】ブライト調整用の微調整画面の一例を示す模式図である。
【符号の説明】
１  入力切り替え回路
２  Ａ／Ｄコンバータ
３  走査変換回路
４  デジタルガンマ補正回路
５  １２相展開回路
６  タイミングジェネレータ
７  ＣＰＵ
８    液晶パネル
１０  フラッシュメモリ
１２  ＲＳ２３２Ｃ回路
１４  画質調整回路
２０  画質調整用ＰＣ
１００  液晶プロジェクタ
【図１】
2004153533.tif 000003
【図２】
2004153533.tif 000004
【図３】
2004153533.tif 000005
【図４】
2004153533.tif 000006